(57)【特許請求の範囲】
【請求項１】
内部導体（２４）と外部導体（２９）とを有する同軸ケーブル（２１）に用いる同軸ケーブル用コネクタ（２０）であって、
同軸ケーブル端末の内部導体と電気的に接続され、内部導体と同軸ケーブル外の接続導体（２５ａ）とを電気的に接続する中心導体（２６）を、絶縁部材（２７）で前記外部導体と電気的に絶縁して支持してなるコンタクトインシュレーター（２８）と、同軸ケーブル端末に装着され、前記コンタクトインシュレーターを内部に収納するとともに、前記外部導体と同軸ケーブル外にある外部接続導体（２５ｂ）との導電経路を形成する外装カバー（２２、２３）とを備え、
前記中心導体に、内部導体先端に形成した内部導体螺着部（３６）に螺着可能な中心導体螺着部（３７）が形成され、該中心導体螺着部に内部導体螺着部の螺着時の締め付け力によって内部導体螺着部と圧接される圧接部（３８）が形成されており、
さらに、前記外装カバーと前記同軸ケーブルの外部導体外面との間に挟持される外部導電部材（３０）を有し、
前記外装カバーは、同軸ケーブル端末に外装される外装ナット部材（２２）と、該外装ナット部材の先端側に螺着される外装カバー本体（２３）とから構成され、
前記外部導電部材は、外装ナット部材の内面と同軸ケーブルの外部導体外面との間に挿入される軸方向一側（３３）から、該一側とは反対の側であり、前記コンタクトインシュレーターの絶縁部材に臨む側に配置される他側（３４）に行く程拡径する形状の概略円筒体であり、外装ナット部材の内面と同軸ケーブルの外部導体外面との間にクランプされていることを特徴とする同軸ケーブル用コネクタ。
【請求項２】
請求項１記載の同軸ケーブル用コネクタを同軸ケーブル端末に組み付ける同軸ケーブル用コネクタの組付方法であって、
同軸ケーブルの端末において内部導体の少なくとも先端（５１）を露出させ、予め中心導体に形成しておいた中心導体螺着部と螺着可能な内部導体螺着部を内部導体に形成した後、同軸ケーブルの外部導体外面と外装ナット部材との間に前記外部導電部材を圧入して同軸ケーブルの外部導体外面と外装ナット部材との間に前記外部導電部材をクランプさせてから、内部導体螺着部にコンタクトインシュレーターの中心導体螺着部を捩込んで圧接部に内部導体螺着部を圧接させ、この圧接の際に、コンタクトインシュレーターの絶縁部材を前記外部導電部材の他側に当接させて、外装ナット部材の内面と同軸ケーブルの外部導体外面との間における前記外部導電部材のクランプ力を保った後、外装ナット部材に外装カバー本体を螺着することを特徴とする同軸ケーブル用コネクタの組付方法。
【発明の詳細な説明】
【０００１】
【産業上の利用分野】
本発明は、同軸ケーブル用コネクタおよびその組付方法に関する。
【０００２】
【従来の技術】
一般的に同軸ケーブル用コネクタは、図５に示すように、同軸ケーブル１の端末において、該同軸ケーブル１の内部導体２先端にロッド状の中心導体３を取り付けて電気的に接続し、該中心導体３と絶縁された導電性部材４を外部導体５と電気的に接続し、これら前記中心導体３および導電性部材４を外部導体５の外側に装着したハウジング６内に収納して、それぞれ同軸ケーブル用コネクタ外の目的の接続導体７ａ、７ｂに電気的に接続可能とした構成とされている。
【０００３】
前記中心導体３は、後端（図５中左端）に形成された内装部８を前記内部導体２の先端に差し込み、これら内装部８および内部導体２にピン９を貫通させることにより、内装部８からの内部導体２の抜けが防止されるようになっている。
ハウジング６には、接続導体７に差し込んで、内部導体２と外部導体５とを接続導体７と電気的に導通させるための挿入穴１０が開口されている。
【０００４】
【発明が解決しようとする課題】
ところで、前記のような同軸ケーブル用コネクタの場合、内部導体２と中心導体３とをピン９で固定する際に、内部導体２先端周囲の外部導体５や内部導体２と外部導体５との間に充填されている絶縁材１１等を除去し、さらに露出させた内部導体２の先端にピン９を挿通するための挿通孔を穿設する必要があり、作業に手間がかかった。また、内部導体２の先端の寸法精度が確保しにくいため、内部導体２先端と内装部８内面との間にクリアランスが生じて双方の固定状態が安定しにくくなり、電気的に接触抵抗が不安定になるといった問題が生じていた。また、内部導体２と中心導体３とを固定する固定構造としては、他にも種々あるが、固定の作業能率が高く、しかも電気的に接続抵抗が安定して得られるものが無かった。
【０００５】
本発明は、前述の課題に鑑みてなされたもので、内部導体と中心導体との固定作業の能率が向上しかつ電気的接触抵抗が安定する同軸ケーブル用コネクタおよびその組付方法を提供することを目的とするものである。
【０００６】
【課題を解決するための手段】
本発明は、前記課題を解決するため、以下の構成を採用した。
すなわち、請求項１記載の同軸ケーブル用コネクタでは、内部導体と外部導体とを有する同軸ケーブルに用いる同軸ケーブル用コネクタであって、同軸ケーブル端末の内部導体と電気的に接続され、内部導体と同軸ケーブル外の接続導体とを電気的に接続する中心導体を、絶縁部材で前記外部導体と電気的に絶縁して支持してなるコンタクトインシュレーターと、同軸ケーブル端末に装着され、前記コンタクトインシュレーターを内部に収納するとともに、前記外部導体と同軸ケーブル外にある外部接続導体との導電経路を形成する外装カバーとを備え、前記中心導体に、内部導体先端に形成した内部導体螺着部に螺着可能な中心導体螺着部が形成され、該中心導体螺着部に内部導体螺着部の螺着時の締め付け力によって内部導体螺着部と圧接される圧接部が形成されており、さらに、前記外装カバーと前記同軸ケーブルの外部導体外面との間に挟持される外部導電部材を有し、前記外装カバーは、同軸ケーブル端末に外装される外装ナット部材と、該外装ナット部材の先端側に螺着される外装カバー本体とから構成され、前記外部導電部材は、外装ナット部材の内面と同軸ケーブルの外部導体外面との間に挿入される軸方向一側から、該一側とは反対の側であり、前記コンタクトインシュレーターの絶縁部材に臨む側に配置される他側に行く程拡径する形状の概略円筒体であり、外装ナット部材の内面と同軸ケーブルの外部導体外面との間にクランプされていることを特徴とする同軸ケーブル用コネクタを前記課題の解決手段とした。
【０００７】
請求項２記載の同軸ケーブル用コネクタの組付方法では、請求項１記載の同軸ケーブル用コネクタを同軸ケーブル端末に組み付ける同軸ケーブル用コネクタの組付方法であって、同軸ケーブルの端末において内部導体の少なくとも先端を露出させ、予め中心導体に形成しておいた中心導体螺着部と螺着可能な内部導体螺着部を内部導体に形成した後、同軸ケーブルの外部導体外面と外装ナット部材との間に前記外部導電部材を圧入して同軸ケーブルの外部導体外面と外装ナット部材との間に前記外部導電部材をクランプさせてから、内部導体螺着部にコンタクトインシュレーターの中心導体螺着部を捩込んで圧接部に内部導体螺着部を圧接させ、この圧接の際に、コンタクトインシュレーターの絶縁部材を前記外部導電部材の他側に当接させて、外装ナット部材の内面と同軸ケーブルの外部導体外面との間における前記外部導電部材のクランプ力を保った後、外装ナット部材に外装カバー本体を螺着することを前記課題の解決手段とした。
【０００８】
【作用】
本発明の同軸ケーブル用コネクタによれば、中心導体の中心導体螺着部を内部導体の内部導体螺着部に捩込んで固定した際に、内部導体螺着部が圧接部に圧接して内部導体と中心導体との間の電気的導通が確保される。
【０００９】
請求項２記載の同軸ケーブル用コネクタの組付方法によれば、同軸ケーブル端末に露出させた内部導体に、タップ等の工具を使用して中心導体螺着部に適合する内部導体螺着部を作業現場において形成する。
【００１０】
【実施例】
以下本発明の同軸ケーブル用コネクタの一実施例を、図１から図４を参照して説明する。
図中符号２０は、本実施例の同軸ケーブル用コネクタである。同軸ケーブル用コネクタ２０は、図１および図２に示すように、同軸ケーブル２１端末に外装される外装ナット部材２２と、該外装ナット部材２２の先端側（図１右側、図２右上）に螺着され外装ナット部材２２とともに外装カバーを構成する外装カバー本体２３と、同軸ケーブル２１端末に支持され、同軸ケーブル２１の内部導体２４と同軸ケーブル２１外の内部接続導体２５ａとを電気的に接続する中心導体２６を、絶縁部材２７で前記外部導体２２と電気的に絶縁して支持してなるコンタクトインシュレーター２８と、外装ナット部材２２の内面と同軸ケーブル２１の外部導体２９の外面との間に介装される外部導電部材３０とを備えている。
【００１１】
前記外装ナット部材２２は、外装カバー本体２３とともに外装カバーを構成するようになっている。外装ナット部材２２および外装カバー本体２３の形成材料としては、導電性、防水性に優れるものが適用される。この外装カバーは、前記外部導体２９と同軸ケーブル２１外にある外部接続導体２５ｂとの導電経路を形成するものであり、外部導体２９外面との間に外部導電部材３０を挟持することにより、安定した接触抵抗が得られるようになっている。
【００１２】
外装ナット部材２２は、同軸ケーブル２１の外装シース３１の外面に略密接する内径を有する円筒体であって、軸方向略中央部に前記外装カバー本体２３を螺着するためのネジ部３２が形成されている。この外装ナット部材２２のネジ部３２部分の内面は、同軸ケーブル２１の外装シース３１の外面に密接して止水する止水面２２ａとされている。ネジ部３２の基端側端部には、該外装ナット部材２２を回転させる工具を係合するための工具係合面２２ｂが形成されている。また、外装ナット部材２２のネジ部３２より先端側は、ネジ部３２部分より内径が縮径され、同軸ケーブル２１端末の外装シース３１を除去して露出させた外部導体２９の外面との間に前記外部導電部材３０を挟持する挟持面２２ｃとされている。また、前記止水面２２ａの基端側（図１左側、図２左下）には、止水用のＯリング２２ｄが装着されている。
前記外部導電部材３０は、軸方向一側３３に行く程断面形状が縮径する概略円筒体であって、リング状の他側３４の端部を基端として該他側３４端部から前記一側に向けて延びる多数のフィン３５を主体として形成されている。
【００１３】
前記コンタクトインシュレーター２８は、円盤状の前記絶縁部材２７と、この絶縁部材２７に該絶縁部材２７の中心軸線上に該絶縁部材２７を貫通して固定されたロッド状の前記中心導体２６とを有している。
中心導体２６は、図１から図３に示すように、絶縁部材２７から突出した部分が、内部導体２４先端に形成される内部導体螺着部３６に螺着可能な中心導体螺着部３７とされている。この中心導体螺着部３７は、雄ネジに形成されている。該中心導体螺着部３７の基端部には、内部導体螺着部３６の螺着時の締め付け力によって内部導体螺着部３６と圧接される圧接部３８が形成されている。この圧接部３８は、内部導体螺着部３６の軸線方向において前記絶縁部材２７側に行くにしたがって次第に拡径するテーパ状の部分に形成されている。
【００１４】
中心導体２６の前記内部導体螺着部３６と反対の方向に向けて前記絶縁部材２７から突出する部分は、前記内部接続導体２５ａが接続される接続端部３９とされている。この接続端部３９は、円筒状に形成されている。接続端部３９の基端部には、コンタクトインシュレーター２８を軸回りに回転するためのピンポンチ挿入用の係止孔３９ａが接続端部３９の直径に沿って穿設されている。
【００１５】
前記絶縁部材２７の形成材料としては、誘電体絶縁物等が好ましい。この絶縁部材２７の外周部４０の前記接続端部３９に臨む側には、絶縁部材２７の外側に前記外装カバー本体２３を装着した際に、外装カバー本体２３を絶縁部材２７に対する所定位置に案内するための案内テーパ部４１が形成されている。この案内テーパ部４１は、外装カバー本体２３内面に環状に突設された案内段部４２と当接することにより外装カバー本体２３を案内するようになっている。また、この絶縁部材２７は、前記案内段部４２内側に形成された挿入凹部４３と略一致する形状に形成され、該挿入凹部４３に挿入した際に、該絶縁部材２７の前記中心導体螺着部３７に臨む部分が前記案内段部４３と面一、若しくは挿入凹部４３の奥側に窪むようになっている。
【００１６】
前記外装カバー本体２３は、図１および図２に示すように、外装ナット部材２２の外面に当接されて止水するＯリング４４と、該Ｏリング４４より基端側（図１左側、図２左下）に形成され、前記外装ナット部材２２のナット部４４に螺着される外装螺着部４５とを内面側に有する円筒体である。前記外装螺着部４５の他側端部には、前記中心導体２６の接続端部３９を内装する中心導体内装部４６が設けられている。この中心導体内装部４６は、外装螺着部４５を縮径した形状に形成されている。
【００１７】
外装螺着部４５の中心導体内装部４６寄りの端部には、前記案内段部４２が形成されている。案内段部４２と前記中心導体内装部４６とを連結する連結壁４７内面側の領域は、前記挿入凹部４３とされている。この挿入凹部４３には、前記中心導体内装部４６において前記接続端部３９を内装する中心導体挿入孔４８が連通されている。前記連結壁４７の外周部には、工具等で外装カバー本体２３を回転させるための工具係合溝４８が形成されている。
【００１８】
中心導体内装部４６の他側端部には、外装カバー本体２３を構造物に取り付けるための取付リング４９が設けられている。この取付リング４９は、外装カバー本体２３の中心軸線に垂直な平面内を回動自在として設けられ、構造物に固定されることにより、外装カバー本体２３を構造物に対して回動自在として支持するようになっている。
【００１９】
本実施例の同軸ケーブル用コネクタ２０を適用する同軸ケーブル２１としては、図４に示すように、例えば給電線用の同軸ケーブルであり、銅パイプを用いた前記内部導体２４と、該内部導体２４の外周面を被覆する絶縁物５０を介してその外側に内部導体２４と同心状に配置され、コルゲート状の銅パイプからなる前記外部導体２９と、外部導体２９の外周部を被覆する樹脂製の前記外装シース３１とを具備したものである。
なお、外部導電部材３０の内面には、外部導体２９外面に適合するコルゲート状の溝３０ａが形成されている。
【００２０】
以下、前記同軸ケーブル用コネクタ２０の組付方法を説明する。まず、同軸ケーブル２１の端末において内部導体２４の少なくとも先端を露出させ、先端からタップを差し込んで内部導体螺着部３６を形成する。内部導体螺着部３６は、予め中心導体２６に形成しておいた中心導体螺着部３７と螺着可能な雌ネジとして形成する必要があり、例えばタップ径８ｍｍの場合、軸方向寸法２０ｍｍに形成する。また、この際、外装シース３１を、同軸ケーブル２１先端から内部導体螺着部３６の形成長よりやや奥方まで除去して、外部導体２９を露出させておく。
【００２１】
次に、黄銅ワイヤブラシでタップ使用時に生じた切り粉等を外装シース３１の除去部分から落とし、内部導体２４および外部導体２９をアルコール洗浄した後、内部導体螺着部３６に中心導体螺着部３７を螺着して圧接部３８に内部導体螺着部３６の先端を圧接させる。
この際、内部導体螺着部３６は圧接部３８との圧接力で末広がり変形される。なお、内部導体２４は、圧接部３８への圧接によって中心導体２６と接触されるので、先端面が多少粗くてもよい。
【００２２】
次に、外装シース３１外面にシリコーングリースを塗布した後、同軸ケーブル２１に外装ナット部材２２を基端側から挿入する。
この際、外装ナット部材２２は、内部の挟持面２２ｃ形成部分が外装シース３１先端に当接することにより、同軸ケーブル２１に対して適切な挿入位置に停止する。外装ナット部材２２は、外装ナット部材２２の挟持面２２ｃ形成部分と止水面２２ａ形成部分との境界が段差になっているので、この段差に外部シース３１先端が突き当たるまで挿入することにより、適切な挿入位置に概略位置決めされるようになっている。
【００２３】
次に、外部導体２９外面と外装ナット部材２２の挟持面２２ｃとの間に前記外部導電部材３０を圧入する。外部導電部材３０は、他側３４に行く程拡径する形状なので、外部導体２９外面と外装ナット部材２２の挟持面２２ｃとの間に一側３３から挿入することにより、適当なクランプ力が生じる挿入位置で停止する。また、外部導電部材３０の圧入完了時には、クランプ力によって外部導電部材３０と外部導体２９および外部導電部材３０と外装ナット部材２２との間の接触状態が安定に保持されるので、外部導体２９と外装ナット部材２２との間の電気的導通における接触抵抗が安定する。
この際、外部導電部材３０は、他側３４端部が外部導体２９先端より奥側となる深さまで挿入する。
【００２４】
次に、前記内部導体螺着部３６に前記コンタクトインシュレーター２８の中心導体螺着部３７を手作業で捩込み、さらに、接続端部３９の係止孔３９ａにピンポンチを挿入して十分に締め込み、内部導体螺着部３６の先端を圧接部３９に圧接して変形させる。こうすることにより、内部導体２４と中心導体２６との電気的導通が十分にとられ、しかも接触抵抗が安定する。
この際、コンタクトインシュレーター２８の内部導体２４への捩込みは、コンタクトインシュレーター２８に外部導電部材３０の他側３４が当接する深さとする。光することにより、外部導電部材３０のクランプ力が安定に保持される。
【００２５】
次に、前記外装ナット部材２２を同軸ケーブル２１端末方向に引き寄せつつ、ネジロックを塗布したネジ部３２に外装カバー本体２３を螺着する。
この際、外装ナット部材２２は工具係合面２２ｂを利用して工具を利用して固定し、工具係合溝４８に固定した工具で外装カバー本体２３を外装ナット部材２２に対して相対的に回転して螺着を行う。
また、外装カバー本体２３は、コンタクトインシュレーター２８の外部導電部材３０に形成した案内テーパ４１に案内段部４２が案内されて、外部導電部材３０を挿入凹部４３内に正常な姿勢で内装することが容易である。
【００２６】
同軸ケーブル２１端末への取り付けが完了した外装カバー本体２３は、取付リング４９を利用して構造物に取り付けるか、他の同軸ケーブル２１の端末に取り付けたコネクタと固定する。こうすることにより、同軸ケーブル２１と同軸ケーブル２１外の内部接続導体２５ａや外部接続導体２５ｂとを安定に接続する。
また、外装ナット部材２２の基端側と同軸ケーブル２１の外装シース３１との間は、外側から防水テープを卷装する等の手段によって、止水性の向上を図ることが望ましい。
【００２７】
したがって、本発明の同軸ケーブル用コネクタおよびその組付方法によれば、内部導体螺着部３６を圧接部３８に圧接して変形させることにより内部導体２４と中心導体２６とを電気的に導通させ、前記内部導体螺着部３６と圧接部３８との圧接状態を内部導体螺着部３６と中心導体螺着部３７との螺着力によって維持するので、内部導体２４と中心導体２６との電気的接触抵抗が安定に維持され、同軸ケーブル２１とこの同軸ケーブル２１に接続する内部接続導体２５ａおよび外部接続導体２５ｂとの間を安定した電気抵抗を以て接続することができる。また、外部導体２９と外部接続導体２５ｂとの電気的導通においても、外部導電部材３０の使用によって電気抵抗が安定する。しかも、内部導体２４に現場で形成した内部導体螺着部３６に中心導体２６の中心導体螺着部３７を螺着するようにしたので、内部導体２４の加工部分近傍の外部導体２９等の構成部品を除去する必要が無く作業が簡単である。しかも、内部導体２４の先端５１には、中心導体螺着部３７に螺着可能な内部導体螺着部３６を形成することにより、精度要求が低くて済み、組み付けの作業能率が向上する。
【００２８】
なお、本実施例の同軸ケーブル用コネクタ２０においては、外部導体２９と外部接続導体２５ｂとの電気導通は、外部導電部材３０と外装ナット部材２２と外装カバー本体２３とを経由しているが、外装カバー本体２３と安定に接触する形状の外部導電部材３０を用いれば、外装ナット部材２２を経由する必要はない。また、外部導電部材３０と外装カバー本体２３の形状を変更して、外部導電部材３０を外部接続導体２５ｂと直接接触するようにすることも可能である。
【００２９】
【発明の効果】
以上説明したように、本発明の同軸ケーブル用コネクタによれば、同軸ケーブル端末の内部導体と電気的に接続され、内部導体と同軸ケーブル外の接続導体とを電気的に接続する中心導体を、絶縁部材で前記外部導体と電気的に絶縁して支持してなるコンタクトインシュレーターと、同軸ケーブル端末に装着され、前記コンタクトインシュレーターを内部に収納する外装カバーとを備え、前記中心導体に、内部導体先端に形成した内部導体螺着部に螺着可能な中心導体螺着部を形成し、該中心導体螺着部に内部導体螺着部の螺着時の締め付け力によって内部導体螺着部と圧接される圧接部を形成して、内部導体螺着部を圧接部に圧接して変形させることにより内部導体と中心導体とを電気的に導通させ、前記内部導体螺着部と圧接部との圧接状態を内部導体螺着部と中心導体螺着部との螺着力によって維持するようにしたので、内部導体と中心導体との電気的接触抵抗が安定に維持され、同軸ケーブルとこの同軸ケーブルに接続する接続導体との間を安定した電気抵抗を以て接続することができる。さらに、外装カバーは、前記外部導体と同軸ケーブル外にある外部接続導体との導電経路を形成するものであり、外部導体外面との間に外部導電部材を挟持することにより、安定した接触抵抗が得られる。
【００３０】
請求項２記載の同軸ケーブル用コネクタの組付方法によれば、同軸ケーブルの端末において内部導体の少なくとも先端を露出させ、予め中心導体に形成しておいた中心導体螺着部と螺着可能な内部導体螺着部を内部導体に形成した後、同軸ケーブルの外部導体外面と外装ナット部材との間に前記外部導電部材を圧入してから、内部導体螺着部にコンタクトインシュレーターの中心導体螺着部を捩込んで圧接部に内部導体螺着部を圧接させ、この圧接の際に、コンタクトインシュレーターの絶縁部材を前記外部導電部材の他側に当接させて、外装ナット部材の内面と同軸ケーブルの外部導体外面との間における前記外部導電部材のクランプ力を保った後、外装ナット部材に外装カバー本体を螺着するものであり、内部導体に中心導体螺着部に適合する内部導体螺着部を現場において形成するようにしたので、作業が簡単であるとともに、内部導体の先端に中心導体螺着部に螺着可能な内部導体螺着部を形成することにより十分な圧接力が得られるので、内部導体先端形状の精度要求が低くて済み、組み付けの作業能率が向上する。
【図面の簡単な説明】
【図１】  本発明の同軸ケーブル用コネクタの一実施例を示す正断面図である。
【図２】  本発明の同軸ケーブル用コネクタの一実施例を示す分解斜視図である。
【図３】  図２の同軸ケーブル用コネクタに用いられるコンタクトインシュレーターを示す拡大側面図である。
【図４】  本発明の同軸ケーブル用コネクタの一実施例が適用される同軸ケーブルを示す斜視図である。
【図５】  従来の同軸ケーブル用コネクタを示す正断面図である。
【符号の説明】
２０…同軸ケーブル用コネクタ、２１…同軸ケーブル、２２…外装カバー（外装ナット部材）、２３…外装カバー（外装カバー本体）、２４…内部導体、２５ａ…接続導体（内部接続導体）、２６…中心導体、２７…絶縁部材、２８…コンタクトインシュレーター、２９…外部導体、３６…内部導体螺着部、３７…中心導体螺着部、３８…圧接部、５１…先端。
【図１】
0003647934.tif 000002
【図２】
0003647934.tif 000003
【図３】
0003647934.tif 000004
【図４】
0003647934.tif 000005
【図５】
0003647934.tif 000006